(57)【要約】      （修正有）【課題】釣りの仕掛けにおいて、発生する音を小さくすることなく、餌や仕掛けの選択肢を自由にできるラトルを提供する。【解決手段】ラトルボール１２を内装するラトルルーム１１と、そのラトルルーム１１に近接して備えた釣り針２１を固定するための釣り針固定部１３と、その釣り針固定部１３に近接して備えたライン２０を固定するためのライン固定部１４と、を備える。また、釣り針固定部１３とライン固定部１４との間には、仕掛けとなるスカート２２を固定するためのスペースである仕掛け固定スペース１５を備える。【選択図】図２
0003189441.tif 000002
【実用新案登録請求の範囲】
【請求項１】
ラトルボールを内装するラトルルームと、
そのラトルルームに近接して備えた釣り針を固定するための釣り針固定部と、
その釣り針固定部に近接して備えたラインを固定するためのライン固定部と、を備えたラトル。
【請求項２】
前記の釣り針固定部と前記のライン固定部との間には、仕掛けを固定するためのスペースである仕掛け固定スペースを備えた請求項１に記載のラトル。
【請求項３】
前記の釣り針固定部は、釣り針に直接結んだ釣り針糸を結ぶための貫通孔とし、
前記のライン固定部は、ラインを直接結ぶための貫通孔とした請求項１または請求項２のいずれかに記載のラトル。
【請求項４】
前記のラトルルームは、前記のラトルボールが往復する筒体として形成した請求項１から請求項３のいずれかに記載のラトル。
【考案の詳細な説明】
【技術分野】
【０００１】
本考案は、釣り針の近傍に固定して魚をおびき寄せる音を発するラトルに関する。
【背景技術】
【０００２】
「ジャーキング」というルアー釣りのテクニックがある。ここで「ジャーキング」とは、緩急を付けて竿先を動かすことによって活き餌や疑似餌を上下動させることをいう。
一方、魚は、音に敏感であると言われている。音がすると周囲に逃げたり隠れたりしてしまう魚がいる一方、音に対して興味を持って近づいてくる魚もいる。  餌または疑似餌に対して、筒状のラトルルームへラトルボールを内装して形成されたラトル機構を取り付けることによって、釣り人は、ジャーキングさせて音を発生させる。それによって、ラトル機構の音に興味を持って近づいてくる魚を反射的に食いつかせるのである。
【０００３】
さて、水底まで速く達するとともに、ジャーキングさせた場合には大きな音を発生させることができるルアーとして、特許文献１に開示された技術がある。  ラトルボールを内装したラトルをルアー本体に備え、ルアー本体とラトルとの間には金属フレームを介在させた構造をなす。
【０００４】
【特許文献１】特開２００８−１８２９９４号公報
【考案の開示】
【考案が解決しようとする課題】
【０００５】
近年の釣りは、ルアーや仕掛けの種類が非常に増えている。釣り人が、対象魚、釣り場、時間帯などによって複数のルアーを使い分けることも少なくない。したがって、ルアーとラトルとは独立している方が望ましい。
ルアーからは独立させたラトルも提供されており、たとえば、魚を模したルアーの口へラトルを挿入する、といった使い方をする。
【０００６】
しかし、ルアーや活き餌の中へ挿入してしまっては、特許文献１にてその欠点を指摘しているように、発生する音が小さくなってしまう。
また、活き餌を用いて釣りをしたい釣り人にとっては、特許文献１に開示された技術は採用できない。
【０００７】
本考案が解決すべき課題は、発生する音を小さくすることなく、餌や仕掛けの選択肢を自由にできる技術を提供することにある。
【課題を解決するための手段】
【０００８】
（第一の考案）
第一の考案は、  ラトルボール(12)を内装するラトルルーム(11)と、  そのラトルルーム(11)に近接して備えた釣り針(21)を固定するための釣り針固定部(13)と、  その釣り針固定部(13)に近接して備えたライン(20)を固定するためのライン固定部(14)と、を備えたラトル(10)に係る。
【０００９】
（用語説明）
「釣り針固定部(13)」および「ライン固定部(14)」は、釣り針(21)を結んだ糸やライン(20)を挿通させるための貫通孔であってもよいし、釣り針(21)を結んだ糸やライン(20)を結びつけるのに都合の良い形状をなす部位であってもよい。
【００１０】
（作用）
釣り針(21)を固定するための釣り針固定部(13)にラトルルーム(11)を近接させているので、ラトルボール(12)によって発生する音に興味を示して近づいてきた対象魚を釣りやすい。
また、ライン固定部(14)も、ラトルルーム(11)に近接して位置しているので、ライン(20)の操作によってラトルルーム(11)による音を発生させやすい。
【００１１】
（第一の考案のバリエーション１）
第一の考案は、前記の釣り針固定部(13)と前記のライン固定部(14)との間には、仕掛け（たとえばスカート22）を固定するためのスペースである仕掛け固定スペース(15)を備えることとしてもよい。
【００１２】
（作用）
仕掛け固定スペース(15)が釣り針固定部(13)に近接しているので、釣り針(21)を隠しやすい。
【００１３】
（第一の考案のバリエーション２）
第一の考案は、以下のように形成しても良い。
すなわち、  前記の釣り針固定部(13)は、釣り針(21)に直接結んだ釣り針糸を結ぶための貫通孔とし、  前記のライン固定部(14)は、ラインを直接結ぶための貫通孔としてもよい。
【００１４】
（第一の考案のバリエーション３）
第一の考案におけるラトルルーム(11)は、前記のラトルボール(12)が往復する筒体として形成してもよい。
筒体のほかには、球体、ドーナツ型などがありえる。ライン(20)の操作によって音を発生させやすい、あるいは特徴のある音を発生させるのに都合が良い形状を選択することができる。
【考案の効果】
【００１５】
第一の考案によれば、発生する音を小さくすることなく、餌や仕掛けの選択肢を自由にできるラトルを提供することができた。
【図面の簡単な説明】
【００１６】
【図１】本考案の第一の実施形態に係るラトルの使用状態を示す斜視図である。
【図２】（ａ）はラトルの拡大斜視図、（ｂ）は使用状態における連続図である。
【図３】ラトルルームとラトルとの関係を示す断面図である。
【図４】ラトルルームの形状に関するバリエーションを示す斜視図である。
【考案を実施するための形態】
【００１７】
以下、本考案の実施形態について図面を参照して説明する。ここで使用するのは、図１から図４である。
【００１８】
図1に示すのは、ライン２０の端部（先端とは限られない）に固定されたラトル１０と、そのラトルに固定された釣り針２１と、その釣り針２１を隠すようにラトル１０へ固定されたスカート２２である。
【００１９】
図２（ａ）に示すように、ラトル１０は、ラトルボール１２を内装するラトルルーム１１と、  そのラトルルーム１１に近接して備えた釣り針２１を固定するための釣り針固定部１３と、  その釣り針固定部１３に近接して備えたライン２０を固定するためのライン固定部１４と、そのライン固定部１４および前記釣り針固定部１３との間へ備えた仕掛け固定スペース１５と、を備えている。その仕掛け固定スペース１５には、図１や図２（ｂ）に示すようなスカート２２が固定される。
【００２０】
図２（ｂ）には、ライン２０を釣り人が操作することによって、ラトル１０、釣り針２１、仕掛け２２を動かす様子を示している。ラトル１０が動かされた結果、図３に示すように、ラトルルーム１１の内部に収納されているラトルボール１２がラトルルーム１１の壁に衝突したり、ラトルボール１２同士が衝突したりすることによって音を発することとなる。この音が、魚の興味を引くこととなる。
【００２１】
ラトルルーム１１から発せられた音に反応して近づいてきた対象魚がスカート２２に食いついた場合、釣り人はその魚を釣り上げることができる。釣り針２１を固定するための釣り針固定部１３にラトルルーム１１を近接させているので、ラトルボール１２によって発生する音に興味を示して近づいてきた対象魚を釣りやすい。
また、ライン固定部１４も、ラトルルーム１１に近接して位置しているので、ライン２０の操作によってラトルルーム１１による音を発生させやすい。
【００２２】
図４（ａ）に示すように、ラトルルーム１１Ｂの長手方向を他の部材と変更したような形状としても良い。  また、図４（ｂ）に示すように、ラトルルーム１１Ｃの形状を変更しても良い。
これらの変更は、釣り人がライン２０の操作によって音を発生させやすい、あるいは特徴のある音を発生させるのに都合が良い形状を選択すればよい。
【００２３】
図４（ｃ）には、ラトルルーム１１を、釣り針固定部１３と仕掛け固定スペース１５との間へ位置させた実施形態を示す。仕掛けの種類によっては、このような実施形態とした方が全体のバランスなどがよい場合がある。
【００２４】
なお、ラトルボール１２の材質は、本実施形態においてはセラミックボールを採用した。ただし、セラミックボールに限られることはなく、たとえば金属ボールであっても良い。
【産業上の利用可能性】
【００２５】
本考案は、釣り具の製造業、販売業またはレンタル業、アウトドアスポーツのインストラクター事業などにおいて、利用可能性を有する。
【符号の説明】
【００２６】
１０；  ラトル
１１，１１B、１１C  ；  ラトルルーム
１２；  ラトルボール        １３；  釣り針固定部
１４；  ライン固定部        １５；  仕掛け固定スペース
２０；  ライン              ２１；  釣り針
２２；  スカート
【図１】
0003189441.tif 000003
【図２】
0003189441.tif 000004
【図３】
0003189441.tif 000005
【図４】
0003189441.tif 000006